【事件の表示】
　特願２０００−２１３５０８「液晶表示装置及びその駆動方法」拒絶査定不服審判事件〔平成１３年　９月２６日出願公開、特開２００１−２６４７８４〕について、次のとおり審決する。
【結　論】
　本件審判の請求は、成り立たない。
【理　由】
１．手続の経緯・本願発明
　本願は、平成１２年６月９日（優先権主張平成１１年６月１８日、平成１２年１月１２日）の出願であって、その請求項に係る発明は、平成１４年１１月２５日付及び、平成１５年３月１０日付手続補正書により補正された明細書及び図面の記載からみて、特許請求の範囲に記載された事項により特定される、以下のとおりのものである。（以下、「本願発明」という。）
「【請求項１】　第１の基板と第２の基板の間に液晶層が挟持され、前記第１の基板上の共通電極と前記第２の基板上の画素電極の間に電圧を印加する構造を有する液晶表示装置において、
　前記画素電極が、前記共通電極よりも小面積で、前記共通電極で覆われていると共に、対称性の良い形状が連なった形状であることを特徴とする液晶表示装置。」
　
２．引用刊行物記載の発明
　これに対して、原査定の拒絶の理由に引用された、本願の優先権主張日前に頒布された「特開平６−２７３７８１号公報」（以下、「引用例」という。）には、図面とともに、次の事項が記載されている。
「【００４３】
　次に、本発明の第６の実施例に係る液晶表示素子を説明する。本実施例においては、第２の電極を帯状に４本設けた。図６は第６の実施例に係る液晶表示素子の一画素の断面図である。
【００４４】
　先ず、ＴＦＴスイッチ素子、ゲート線、信号線（図示せず）が形成されたガラス基板１１上に、第１の電極である透明電極６１をＩＴＯで２００μｍ角で配線に対しマトリックス状に設る。対向するガラス基板１５上には第２の電極である不透明電極６２をＣｒで形成し１０μｍ幅の帯状電極とする。このとき、有効表示画素領域のゲート及び信号配線で囲まれた部分において、（第１の電極６１）／（第２の電極６２）（和をとる）の面積比を５になるように設けた。こうすることにより電界を第２の電極４４に集中することができる。
【００４５】
　次に、両方の基板１１、１５上に感光性ポリイミドを１０００Ａで塗布しスイッチ素子を設けた基板１１側をラビング処理し配向膜１３とし、さらに反対側の基板１５上を１μｍのラインアンドスペースでパターニングし水平配向配向膜１３とした。この２枚の配向処理基板１１、１５を液晶がＴＮに成るように組み合わせカイラル剤を含まないＮｐ液晶を挟み込み電極間距離６μｍの液晶表示素子を作製した。第１の電極６１と第２の電極６２の位置関係は図９（ａ）に示すようになっており、この場合９１が透明電極６１、９２がＣｒ電極６２となる。図９（ｂ）は上面からみた様子である。
【００４６】
　この様にして作成した液晶表示素子は、電極間に電圧を印加したところ、リバースディスクリネーションは図６中１７の領域に閉じ込められパネル上からは光漏れは観察されなかった。
【００４７】
　また、この液晶表示素子は、液晶１６は図のように分布し、電極６２を挟み液晶分子の立ち上がり方向が異なる２領域に分割され視野角の向上にも寄与する。本実施例においてはＣｒで形成された帯状の不透明電極６２を、一画素に複数設けることに特徴がある。この様に第２の電極を複数設けても本発明の効果を充分に奏するものである。
【００４８】
　本実施例では、第２の電極に遮光性を持たせたが、パネルに対して垂直に見たとき、少なくとも第２の電極に重なる第１の電極部分に遮光性を持たせても良い。
【００４９】
　本実施例による液晶表示素子に光を供給する方法としては、第１の基板である基板１１側から蛍光灯等のバックライトを用いるいわゆる透過型にしても良いし、基板１１に反射膜を形成するいわゆる反射型としても良い。
【００５０】
　次に、本発明の第７の実施例に係る液晶表示素子を説明する。本実施例においては、図６の断面図を用いて説明する。本実施例においては、第２の電極３３をＡｌでスクエアー状に複数形成することに特徴がある。
【００５１】
　先ず、ＴＦＴ等のスイッチング素子、ゲート線、信号線（図示せず）が形成されたガラス基板１１上に、第１の電極である透明電極６１をＩＴＯにより２００μｍ角で配線に対しマトリックス状に設る。対向するガラス基板１５上には第２の電極である不透明電極６２をＡｌで形成し１０μｍ角のスクエアー状電極とする。このとき、有効表示画素領域のゲート及び信号配線で囲まれた部分において、（第１の電極６１）／（第２の電極６２）（和をとる）の面積比を２５になるように設けた。こうすることにより電界を第２の電極６２に集中することができる。
【００５２】
　次に、両方の基板１１、１５にポリイミドを配向膜として１０００Ａの膜厚で塗布した後ポストベークを行い完全に硬化させラビング処理を施し配向膜１３を形成する。この２枚の配向処理基板１１、１５を液晶が９０°ＴＮに成るように組み合わせＮｐ液晶を挟み込み電極間距離６μｍの液晶表示素子を作製した。第１の電極６１と第２の電極６２の位置関係は図１０（ａ）に示すようになっており、この場合１０１が透明電極６１、１０２がスクエアー状のＡｌ電極６２となる。図１０（ｂ）は上面からみた状態を示す。
【００５３】
　この様にして作成した液晶表示素子は、電極間に電圧を印加したところ、リバースディスクリネーションは図６中１７の領域に閉じ込められパネル上からは光漏れは観察されなかった。
【００５４】
　また、この液晶表示素子は、液晶１６は図のように分布し、電極６２を中心にし液晶分子の立ち上がり方向があらゆる方向を向いているので視野角の向上にも寄与する。
【００５５】
　本実施例では第２の電極をスクエアー状とし、更に複数設けたが、図８に示すようにスクエアー状電極を一つとして用いても良い。この場合第２の電極はＴＦＴ電極に接続されていても良い。図中８１は第１の電極で８２は第２の電極である。
【００５６】
　本実施例では、第２の電極に遮光性を持たせたが、パネルに対して垂直に見たとき、少なくとも第２の電極に重なる第１の電極部分に遮光性を持たせても良い。
【００５７】
　本実施例による液晶表示素子に光を供給する方法としては、第１の基板である基板１１側から蛍光灯等のバックライトを用いるいわゆる透過型にしても良いし、基板１１に反射膜を形成するいわゆる反射型としても良い。」
　
３．対比・判断
　本願発明と引用例に記載の事項とを対比する。
(ａ)引用例に記載の「ガラス基板１５」、「ガラス基板１１」、「Ｎｐ液晶」、「第１の電極」、「第２の電極」、「液晶表示素子」が、本願発明の「第１の基板」、「第２の基板」、「液晶層」、「共通電極」、「画素電極」、「液晶表示装置」にそれぞれ相当する。
(ｂ)引用例の段落００４４には、「（第１の電極６１）／（第２の電極６２）（和をとる）の面積比を５になるように設けた」と記載され、第２の電極（画素電極）が第１の電極（共通電極）よりも面積が小さいこと、そして図９から、第２の電極（画素電極）は、第１の電極（共通電極）で覆われていることが読みとれる。
(ｃ)引用例の図９に符号９２で示された帯状の第２の電極は、図１０に符号１０２で示されたスクエアー状の第２の電極と比較すれば、対称性の良い形状が連なった形状であると認識できる。すなわち、本願明細書の図１（ｃ）の中段下に示された正方形状のような対称性の良い形状が連なるということは、同じく図２に示されたものだけではなく帯状の長方形状のものも当然認識されることになるからである。
　上記(ａ)〜(ｃ)からみると、引用例に記載の発明は、本願発明の構成をすべて備えており、本願発明と引用例に記載の発明との間に実質的な相違点はない。
　
　なお、原査定の拒絶の理由は、特許法第２９条第１項第３号に該当するというものではないが、審判請求人は、平成１４年１１月２５日付け意見書において、本願発明と引用文献２（上記引用例と同じ）とを対比し、引用文献２は、本願発明を開示しまたは示唆するものではない旨述べているから、容易性のみならず、同一性についても検討していることは明らかである。
　
４．むすび
　したがって、本願発明は引用例に記載された発明であるから、特許法第２９条第１項第３号に該当し、特許を受けることができない。
　よって、結論のとおり審決する。